(57)【要約】【課題】収納のスペース効率が向上するコーナー用吊戸棚を提供する。【解決手段】上記課題を解決するコーナー用吊戸棚１は、壁面Ｗ１，Ｗ２に対して上下移動可能な昇降棚２０と、壁面Ｗ１，Ｗ２に対して上下移動しない固定棚３０と、を備え、昇降棚２０と固定棚３０とは同じ高さに近接して配置されている。昇降棚２０は、収納物を載置する下段棚板２５及び上段棚板２６を備えており、下段棚板２５及び上段棚板２６を下方へ投影した形状は平面視長方形状である。また、固定棚３０は、収納物を載置する底板３１及び棚板３６を備えており、底板３１及び棚板３６を下方へ投影した形状は平面視直角の角部３１ａ，３１ｂと直角でない角部３１ｅ，３１ｆとを有する台形状である。【選択図】      図２
2015033553.tif 000002
【特許請求の範囲】
【請求項１】
互いに直交する２つの壁面で構成される入隅部に設置されるコーナー用吊戸棚であって、
前記壁面に対して上下移動可能な昇降棚と、前記壁面に対して上下移動しない固定棚と、を備えており、
前記昇降棚と前記固定棚とは同じ高さに近接して配置され、
前記昇降棚は、収納物を載置する第１載置板を備えており、前記第１載置板を下方へ投影した形状は平面視長方形状であり、
前記固定棚は、収納物を載置する第２載置板を備えており、前記第２載置板を下方へ投影した形状は平面視直角の角部と直角でない角部とを有する台形状であることを特徴とする
コーナー用吊戸棚。
【請求項２】
前記固定棚の奥行方向は、一方の前記壁面に沿った方向であり、
前記昇降棚の奥行方向は、他方の前記壁面に沿った方向である
請求項１に記載のコーナー用吊戸棚。
【請求項３】
前記昇降棚の奥行方向は、前記長方形状の短手方向である
請求項１又は２に記載のコーナー用吊戸棚。
【請求項４】
前記昇降棚を昇降自在に収容する昇降棚収容筐体を更に備えており、
前記昇降棚収容筐体は、
一方の前記壁面に面同士を向き合わせて固定される第１背面板と、前記第１背面板と対向する第１固定板と、を有しており、
前記固定棚は、
前記第１固定板に面同士を水平方向に向き合わせて固定される第２固定板を有している
請求項１〜３のいずれか一項に記載のコーナー用吊戸棚。
【請求項５】
前記昇降棚収容筐体は、
前記第１固定板が前記第１背面板の端部のみと対向している
請求項４に記載のコーナー用吊戸棚。
【請求項６】
前記昇降棚は、
前記昇降棚収容筐体に取り外し可能に固定されている
請求項４又は５に記載のコーナー用吊戸棚。
【発明の詳細な説明】
【技術分野】
【０００１】
本発明は、台所などの壁面に設置される吊戸棚に関し、特に、互い直交する２つの壁面で構成される入隅部に設置されるコーナー用吊戸棚に関する。
【背景技術】
【０００２】
台所などの壁面に固設されている吊戸棚は、収納容量は大きいが、高い位置に設置されているために、吊戸棚の奥側から収納物を取り出し難く、吊戸棚の奥側に物を収納し難い。特に、部屋の２つの互いに直交する壁面に対峙させて設置されるコーナー専用の吊戸棚は、当該２つの壁面で構成される入隅部の二等分線に沿った奥行きが長く、しかも、開口部が構造的に制限されて狭小であるために、収納物の出し入れがしづらい。
【０００３】
特許文献１には、入隅部に設置されるコーナー専用の吊戸棚において、上記問題点を解決した一例として、奥側を上下移動可能な昇降棚１２０とし、手前側を上下移動しない固定棚１３０としたコーナー用吊戸棚１００が開示されている（図９参照）。当該コーナー用吊戸棚１００では、昇降棚１２０の収納物を載置する複数の載置板１２５の形状は、直角三角形状であり、固定棚１３０の収納物を載置する複数の載置板１３１の形状は、直角を有しない台形状である。また、昇降棚１２０及び固定棚１３０の奥行方向は、共に入隅部の二等分線に沿った方向となっている。
【０００４】
上記コーナー用吊戸棚１００は、収納物を出し入れし難い吊戸棚の奥側を昇降棚１２０としているため、昇降棚１２０を上下移動させることで吊戸棚の奥側から収納物を取り出し易く、奥側へ物を収納し易い。
【先行技術文献】
【特許文献】
【０００５】
【特許文献１】特開２０１０−２７９４１１号公報
【発明の概要】
【発明が解決しようとする課題】
【０００６】
しかし、上記コーナー用吊戸棚１００では、複数の第１載置板１２５及び複数の第２載置板１３１の下方へ投影した平面視の形状は、それぞれ上記と同じ直角三角形状及び直角を有しない台形状であり、これらの投影範囲内には鋭角状の角部１２５ａ，１３１ａが平面視で合計４カ所も存在する。このため、昇降棚１２０及び固定棚１３０の収納空間の角の領域に、収納物で占有することができないデッドスペースが生じ易く、収納のスペース効率が悪かった。
【０００７】
本発明は、上述の問題点に鑑みてなされたものであり、収納のスペース効率が向上するコーナー用吊戸棚を提供することを目的とする。
【課題を解決するための手段】
【０００８】
本発明は、互いに直交する２つの壁面で構成される入隅部に設置されるコーナー用吊戸棚であって、前記壁面に対して上下移動可能な昇降棚と、前記壁面に対して上下移動しない固定棚と、を備えており、前記昇降棚と前記固定棚とは同じ高さに近接して配置され、前記昇降棚は、収納物を載置する第１載置板を備えており、前記第１載置板を下方へ投影した形状は平面視長方形状であり、前記固定棚は、収納物を載置する第２載置板を備えており、前記第２載置板を下方へ投影した形状は平面視直角の角部と直角でない角部とを有する台形状であることを特徴とする。
ここで、前記壁面には、部屋の隅を構成する壁面のみならず、部屋の途中に設置される垂壁の壁面が含まれる。また、前記長方形状には、長方形のみならず、長方形の角を丸めた形、角を直線的に切り取った形等が含まれ、前記台形状には、台形のみならず、台形の角を丸めた形、角を直線的に切り取った形等が含まれるものとする。
【０００９】
本発明によれば、昇降棚の第１載置板を下方へ投影した形状が平面視長方形状であり、固定棚の第２載置板を下方へ投影した形状が平面視直角の角部と直角でない角部とを有する台形状であるため、当該第１載置板と第２載置板の投影範囲内には鋭角状の角部が平面視で１カ所しか存在しない。一方、特許文献１に記載のコーナー用吊戸棚の場合、上述のように、第１載置板と第２載置板の投影範囲内に鋭角状の角部が平面視で合計４カ所も存在する。このため、本発明のコーナー用吊戸棚は、特許文献１に記載のものに比べて、収納空間の角の領域に、収納物で占有することができないデッドスペースが生じ難い。したがって、本発明のコーナー用戸棚は、特許文献１に記載のものに比べて、収納のスペース効率が向上する。
【００１０】
本発明のコーナー用吊戸棚において、前記固定棚の奥行方向は一方の前記壁面に沿った方向であり、前記昇降棚の奥行方向は他方の前記壁面に沿った方向であることが好ましい。この場合、固定棚にアクセスする方向と昇降棚にアクセスする方向とが異なり、異なる方向から吊戸棚にアクセスできるので、使い勝手が良い。
また、本発明のコーナー用吊戸棚において、前記昇降棚の奥行方向は、前記長方形状の短手方向であることが好ましい。この場合、昇降棚に収納物を出し入れし易い。
【００１１】
また、本発明のコーナー用吊戸棚において、前記昇降棚を昇降自在に収容する昇降棚収容筐体を更に備えており、前記昇降棚収容筐体は、一方の前記壁面に面同士を向き合わせて固定される第１背面板と、前記第１背面板と対向する第１固定板と、を有しており、前記固定棚は、前記第１固定板に面同士を水平方向に向き合わせて固定される第２固定板を有していることが好ましい。この場合、コーナー用吊戸棚における利用者にとっての奥側を昇降棚とし、手前側を固定棚とすることができる。
【００１２】
また、本発明のコーナー用吊戸棚において、前記昇降棚収容筐体は、前記第１固定板が前記第１背面板の端部のみと対向していることが好ましい。この場合、第１背面板に面する側方から第１背面板を第１壁面に対して固定することができるので、第１固定板が第１背面板の全面と対向しているものに比べて、昇降棚収容筐体を第１壁面に容易に取り付けることができる。
【００１３】
また、本発明のコーナー用吊戸棚において、前記昇降棚は、前記昇降棚収容筐体に着脱可能に固定されていることが好ましい。この場合、昇降棚収容筐体を壁面から取り外すことなく、昇降棚を昇降棚収容筐体から取り外してメンテナンスすることができる。また、コーナー吊戸棚の設置時に昇降棚収容筐体を壁面に固定してから、昇降棚収容筐体に昇降棚を取り付けることができるので、昇降棚収容筐体を壁面に固定し易い。
【発明の効果】
【００１４】
本発明によれば、収納のスペース効率が向上するコーナー用吊戸棚を提供することができる。
【図面の簡単な説明】
【００１５】
【図１】本発明の実施形態に係るコーナー用吊戸棚の上方から見た斜視図である。
【図２】本発明の実施形態に係るコーナー用吊戸棚の分解斜視図である。
【図３】本発明の実施形態に係るコーナー用吊戸棚の下方から見た斜視図である。
【図４】昇降棚収容筐体を第１壁面に取り付ける方法の説明図である。
【図５】昇降棚を昇降棚収容筐体に仮設置する方法の説明図である。
【図６】昇降棚を昇降棚収容筐体に取り付ける方法の説明図である。
【図７】固定棚を第２壁面及び昇降棚収容筐体に取り付ける方法の説明図である。
【図８】本発明の実施形態に係るコーナー用吊戸棚の作用説明図である。
【図９】従来のコーナー用吊戸棚の斜視図である。
【発明を実施するための形態】
【００１６】
本発明の実施形態に係るコーナー用吊戸棚１の具体例を、以下に図面を参照しつつ説明する。
図１は、上方から見たコーナー用吊戸棚１の斜視図であり、図２は、コーナー用吊戸棚１の分解斜視図であり、図３は、下方から見たコーナー用吊戸棚１の斜視図である。なお、図２では、扉４０を省略している。
コーナー用吊戸棚１は、台所や厨房において互いに直交する第１壁面Ｗ１及び第２壁面Ｗ２で構成される入隅部Ｃに専ら設置されるものである。コーナー用吊戸棚１は、当該コーナー用吊戸棚１における利用者にとっての奥側に設置される昇降収納部２と、手前側に設置される固定収納部３と、を備えている。
【００１７】
昇降収納部２は、第１壁面Ｗ１及び第２壁面Ｗ２に対して上下方向に移動可能な昇降棚２０と、第１壁面Ｗ１に対して固定されて、昇降棚２０を昇降自在に収容する昇降棚収容筐体１０と、を備えている。一方、固定収容部３は、第２壁面Ｗ２及び昇降棚収容筐体１０に対して固定されて、第１壁面Ｗ１及び第２壁面Ｗ２に対して上下方向に移動しない固定棚３０と、この固定棚３０の開口部３９に開閉自在に据付けられた扉４０と、を備えている。
【００１８】
昇降棚２０は、収納スペースを形成する本体部２０Ａと、この本体部２０Ａが昇降自在なように、昇降棚２０を昇降棚収容筐体１０に取り付けるための基板２１と、本体部２０Ａの上下移動を操作するハンドル２７と、本体部２０Ａを常にほぼ一定の力で上方へ付勢する付勢手段２８と、を備えている。
【００１９】
本体部２０Ａは、収納物が載置される長方形状の下段棚板２５及び上段棚板２６（第１載置板）と、この下段棚板２５及び上段棚板２６の長手方向の両側に互いに対向させて配設された一対の側板２２と、この側板２２の上端部間を連結する支持バー２４と、を備えている。下段棚板２５及び上段棚板２６は、同じ大きさであり、平面視したときに各端が揃うように配置されている。図示例では、下段棚板２５及び上段棚板２６の長手方向の寸法は、その短手方向の寸法の２倍以上に設定されている。下段棚板２５は、一対の側板２２の下端部間に配設され、上段棚板２６は、一対の側板２２間であって下段棚板２５の直上に配設されている。
【００２０】
基板２１は、長方形であり、下段棚板２５及び上段棚板２６の長手方向の寸法程度の横幅と、側板２２の高さと同程度の高さを有している。
アームが各側板２２の下端部から下方へ長く延出しており、ハンドル２７は両アームの先端間において下段棚板２５の長手方向に沿って棒状に延びている。更に、昇降棚２０は、ハンドル２７が操作されることで、所望の昇降位置に本体部２０Ａを安定して維持するストッパー機構（図示省略）を内蔵している。
【００２１】
付勢手段２８は、巻取りドラム２８ａと、巻取りドラム２８ａに巻回されたベルト２８ｂと、で構成されている。巻取りドラム２８ａは、基板２１の一方の面（正面）の上端部に固定されており、常にベルト２８ｂを巻き取る方向へ付勢している。ベルト２８ｂの先端は支持バー２４に固定されている。
なお、上述のハンドル２７、ストッパー機構、及び巻取りドラム２８ａとベルト２８ｂなどを含む昇降機構の詳細については、特開２００７−２４４４７５号公報の明細書及び図面を参照することができる。
【００２２】
昇降棚収容筐体１０は、直方体状であり、第１背面板１１及び第２背面板１３と第１側板１４と固定板１５（第１固定板）と第１天板１２とを備えている。第１背面板１１は、長方形で基板２１よりやや大きい寸法を有し、第１壁面Ｗ１に対して面同士を対向させて固定される。第２背面板１３は、第１背面板１１の水平方向の一端部から当該第１背面１１に対して垂直に延びており、第２壁面Ｗ２に対して面同士を対向させて接触する。
【００２３】
第１側板１４は、第１背面板１１の水平方向の他端部から当該第１背面１１に対して垂直に延びており、第２背面板１３と対向している。第２背面板１３及び第１側板１４は、下段棚板２５及び上段棚板２６の短手方向の寸法よりやや大きい横幅を有している。固定板１５は、第２背面板１３及び第１側板１４の第１背面板１１側とは反対側の上端部間及び下端部間を連結しており、その側面が第１背面板１１の上端部及び下端部のみと対向している。このため、第１背面板１１の側方には開口部１９が形成されている。第１天板１２は、下段棚板２５及び上段棚板２６よりやや大きい寸法を有しており、第１背面板１１、第２背面板１３、及び固定板１５と端を揃えて水平に配設されている。
【００２４】
昇降棚収容筐体１０は、第１背面板１１が第１壁面Ｗ１に面同士を向き合わせて固定されることで、第１壁面Ｗ１に取り付けられている。昇降棚２０は、基板２１が第１背面板１１に面同士を向き合わせて固定されることで、昇降棚収容筐体１０に対して昇降自在に取り付けられている。
【００２５】
固定棚３０は、側方に開口した箱体３０Ａに収納物を載置する棚板３６（第２載置板）が設けられたものである。箱体３０Ａは、収納物を載置する底板３１（第２載置板）と、第２天板３２と第３背面板３３と間仕切り板３４（第２固定板）と第２側板３５とを備えている。底板３１及び第２天板３２は、直角の角部３１ａ，３１ｂと直角でない角部３１ｅ，３１ｆとを有する台形状であり、その互いに平行な端面３１ｃ，３１ｄのうち、長い方の端面３１ｄは、固定板１５の横幅寸法と略同一である。また、互いに平行な端面３１ｃ，３１ｄ間の幅は、第２背面板１３及び第１側板１４の横幅と同程度である。
【００２６】
第３背面板３３は、底板３１の２つの直角な角部３１ａ，３１ｂを形成する端面から底板３１に対して鉛直に延びている。間仕切り板３４は、互いに平行な端面３１ｃ，３１ｄのうち長い方の端面３１ｄから鉛直に延びている。第２側板３５は、互いに平行な端面３１ｃ，３１ｄのうち短い方の端面３１ｃから鉛直に延びている。第２天板３２は、第３背面板３３、間仕切り板３４、及び第２側板３５と端を揃えて水平に配設されている。
【００２７】
第２天板３２、第３背面板３３、間仕切り板３４、及び第２側板３５の第３背面板３３と接続されている側とは反対側の端部は開口部３９となっており、第２側板３５の第３背面板３３と接続されている側とは反対側の端部には、開口部３９を閉塞する扉４０が取り付けられている。棚板３６は、長方形状であり、底板３１と第２天板３２の間に高さ調整が可能なように架設されており、平面視したときに底板３１の投影範囲内に納まる。
【００２８】
固定棚３０は、間仕切り板３４が固定板１５に面同士を水平方向に向き合わせて固定されることで、昇降棚収容筐体１０に取り付けられている。また、固定棚３０は、第３背面板３３が第２壁面Ｗ２に面同士を向き合わせて固定されることで、第２壁面Ｗ２に対して取り付けられている。
【００２９】
上記構成により、昇降棚２０の奥行方向は、下段棚板２５及び上段棚板２６の短手方向、すなわち、第２壁面Ｗ２に沿った方向となっており、固定棚３０の奥行方向は、底部３１の互いに平行な端面３１ｃ，３１ｄに沿う方向、すなわち、第１壁面Ｗ１に沿った方向となっている。また、固定棚３０の開口部３９の間口は、固定棚３０の奥行方向と直交する方向の幅よりも広くなっている。
【００３０】
次に、入隅部Ｃに対するコーナー用吊戸棚１の設置方法を図４〜図７を参照しつつ説明する。コーナー用吊戸棚１は以下の工程（１）〜（４）を経て設置される。
（１）図４に示すように、第２背面板１３が第２壁面Ｗ２に対面して接触する状態で、第１背面板１１に面する側方、すなわち開口部１９から、ネジ６０で第１背面板１１を第１壁面Ｗ１に面同士を向き合わせて固定することで、昇降棚収容筐体１０を第１壁面Ｗ１に取り付ける。
【００３１】
（２）次に、下方から昇降棚２０を昇降棚収容筐体１０の内部に挿入して、図５に示すように、第１天板１２の内側面に固設されているストッパー桟１８と第１背面板１１との間に基板２１の上端部を差し込み、第１背面板１１の内側面の下端部に固設されている受け金具１７に基板２１の下端部を載置して、昇降棚２０を昇降棚収容筐体１０に仮設置する。
【００３２】
（３）次に、ハンドル２７を握り、図６に示すように、昇降棚２０を引き下げて、第１背面板１１に面する側方か、すなわち開口部１９から、ネジ６０で基板２１の下部を第１背面板１１に面同士を向き合わせて固定することで、昇降棚２０を昇降棚収容筐体１０に昇降自在に取り付ける。
【００３３】
（４）最後に、図７に示すように、固定棚３０の内部側からネジ６０で間仕切り板３４を固定板１５に面同士を水平方向に向き合わせて固定することで、固定棚３０を昇降棚収容筐体１０に取り付ける。また、固定棚３０の内部側からネジ６０で第３背面板３３を第２壁面Ｗ２に面同士を向き合わせて固定することで、固定棚３０を第２壁面Ｗ２に取り付ける。
【００３４】
図８（ａ）は、特許文献１に記載のコーナー用吊戸棚１００の昇降棚１２０の第１載置板１２５及び固定棚１３０の第２載置板１３１のみを概略的に示す平面図であり、図８（ｂ）は、本発明の実施形態に係るコーナー用吊戸棚１の昇降棚２０の棚板２５（２６）及び固定棚３０の底板３１のみを概略的に示す平面図である。
【００３５】
特許文献１に記載のコーナー用吊戸棚１００は、昇降棚１２０の複数の第１載置板１２５が何れも同じ直角三角形状であり、固定棚１３０の複数の第２載置板１３１が何れも同じ直角を有しない台形状である。また、複数の第１載置板１２５は、鉛直方向に所定間隔を隔てて重なっており、複数の第２載置板１３１も同様に、鉛直方向に所定間隔を隔てて重なっている。このため、図８（ａ）に示すように、複数の第１載置板１２５の下方へ投影した平面視の形状は、上記と同じ直角三角形状であり、複数の第２載置板１３１を下方に投影した形状は、上記と同じ直角を有しない台形状である。このため、これらの投影範囲内には鋭角状の角部１２５ａ，１３１ａが平面視で合計４カ所も存在する。
【００３６】
一方、本発明の実施形態に係るコーナー用吊戸棚１は、図８（ｂ）に示すように、昇降棚２０の下段棚板２５及び下段棚板２６を下方へ投影した形状は、下段棚板２５及び下段棚板２６の形状と同じで、平面視長方形状であり、固定棚３０の底板３１及び棚板３５を下方へ投影した形状は、底板３１の形状と同じで、平面視直角の角部３１ａ，３１ｂと直角でない角部３１ｅ，３１ｆとを有する台形状である。このため、当該下段棚板２５及び下段棚板２６と底板３１及び棚板３５の投影範囲内には、鋭角状の角部３１ｆが平面視で一カ所しか存在しない。このため、本発明の実施形態に係るコーナー用吊戸棚１は、特許文献１に記載のものに比べて、収納空間の角の領域に収納物で占有することができないデッドスペースが生じ難いので、収納のスペース効率が向上する。
【００３７】
また、固定棚３０の奥行方向は第１壁面Ｗ１に沿った方向であり、昇降棚２０の奥行方向は第２壁面Ｗ２に沿った方向であるため、本発明の実施形態に係るコーナー用吊戸棚１は、固定棚３０にアクセスする方向と昇降棚２０にアクセスする方向とが直交するため、異なる方向から吊戸棚１にアクセスできるので、使い勝手が良い。
また、昇降棚２０の奥行方向は下段棚板２５及び上段棚板２６の短手方向であるため、本発明の実施形態に係るコーナー用吊戸棚１は、昇降棚２０に収納物を出し入れし易い。
【００３８】
また、昇降棚収容筐体１０は、第１壁面Ｗ１に面同士を向き合わせて固定される第１背面板１１と、第１背面板１１と対向する固定板１５と、を有しており、固定棚３０は、固定板１５に面同士を水平方向に向き合わせて固定される間仕切り板３４を有している。このため、コーナー吊戸棚１における利用者にとっての奥側を昇降棚２０とし、手前側を固定棚３０とすることができる。
【００３９】
また、固定板１５は第１背面板１１の端部のみと対向していることで、昇降棚収容筐体１０は第１背面板１１の側方に開口部１９を有している。このため、第１背面板１１に面する側方から第１背面板１１を第１壁面Ｗ１に対して固定することができ、更に、第１背面板１１に面する側方から基板２１を第１背面板１１に対して固定することができる。このため、本発明の実施形態に係るコーナー用吊戸棚１は、第１背面板１１の側方に開口部１９を有していないものに比べて、昇降棚収容筐体１０及び昇降棚２０を容易に取り付けることができる。
【００４０】
また、昇降棚２０は、上記工程（２）及び（３）のようにしてネジ６０で昇降棚収容筐体１０に固定されているため、昇降棚収容筐体１０から取り外すことが可能である。このため、昇降棚収容筐体１０を第１壁面Ｗ１から取り外すことなく、昇降棚２０を昇降棚収容筐体１０から取り外してメンテナンスすることができる。
【００４１】
なお、本発明は上述の実施形態に限定されるものではなく、特許請求の範囲内において種々の変更が可能である。例えば、上述の実施形態の変形例として、昇降棚２０に上段棚板２６を設けなくともよい。また、上段棚板２６は、その下方投影範囲が下段棚板２５の下方投影範囲に包含される大きさ、換言すると下段棚板２５よりも小さいものであってもよい。これらの場合、特許請求の範囲における「昇降棚の第１載置板を下方へ投影した形状」は、下段棚板２５を下方へ投影した形状と同一である。同様に、固定棚３０に棚板３６を設けなくともよい。また、棚板３６は、底板３１と同じ形状と大きさを有するものであってもよい。
【符号の説明】
【００４２】
１      コーナー用吊戸棚
１０    昇降棚収容筐体
１１    第１背面板
１５    固定板（第１固定板）
１９    開口部
２０    昇降棚
２５    下段棚板（第１載置板）
２６    上段棚板（第１載置板）
３０    固定棚
３１    底板（第２載置板）
３１ａ  直角な角部
３１ｂ  直角な角部
３１ｅ  直角でない角部
３１ｆ  直角でない角部
３４    間仕切り板（第２固定板）
３５    棚板（第２載置板）
３９    開口部
Ｃ      入隅部
Ｗ１    第１壁面（一方の壁面）
Ｗ２    第２壁面（他方の壁面）
【図１】
2015033553.tif 000003
【図２】
2015033553.tif 000004
【図３】
2015033553.tif 000005
【図４】
2015033553.tif 000006
【図５】
2015033553.tif 000007
【図６】
2015033553.tif 000008
【図７】
2015033553.tif 000009
【図８】
2015033553.tif 000010
【図９】
2015033553.tif 000011